【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
送信装置と受信装置とを備える通信システムであって、
前記送信装置は、
複数の入力周期で入力されるデータを受信する第１の受信手段と、
前記受信手段により受信したデータから、各々が、前記入力周期に応じて長さが変化する可変長部と、前記入力周期の一周期分またはｎ周期分もしくはｎ分の一周期分（ｎは正の整数）のデータを含む固定長部とからなり、各々前記入力周期の一周期またはｎ周期もしくはｎ分の一周期と等しい周期を有する連続するフレームを生成する生成手段と、
前記生成手段により生成した前記連続するフレームを送信する送信手段と、を有し、
前記受信装置は、
前記送信手段により送信された前記連続するフレームを受信する第２の受信手段と、
前記第２の受信手段により受信したフレームの周期を検出する検出手段と、
前記検出手段により検出したフレームの周期に基づいて、前記複数の入力周期で入力されるデータを再生させる再生手段と、
を有することを特徴とする通信システム。
【請求項２】
通信装置であって、
複数の入力周期で入力されるデータを受信する受信手段と、
前記受信手段により受信したデータから、各々が、前記入力周期に応じて長さが変化する可変長部と、前記入力周期の一周期分またはｎ周期分もしくはｎ分の一周期分（ｎは正の整数）のデータを含む固定長部とからなり、各々前記入力周期の一周期またはｎ周期もしくはｎ分の一周期と等しい周期を有する連続するフレームを生成する生成手段と、
前記生成手段により生成した前記連続するフレームを送信する送信手段と、
を有することを特徴とする通信装置。
【請求項３】
前記可変長部は、前記通信装置と他の通信装置間で動作クロックまたは前記受信手段により受信したデータの変復調処理にかかる周波数の同期を取るための信号からなることを特徴とする請求項２に記載の通信装置。
【請求項４】
前記固定長部は、前記通信装置と他の通信装置間で動作クロックまたは前記受信手段により受信したデータの変復調処理にかかる周波数の同期を取るための信号を含むことを特徴とする請求項２に記載の通信装置。
【請求項５】
前記可変長部は、前記複数の入力周期で入力されるデータの伝送において、有意のデータからなる信号を含まないことを特徴とする請求項２に記載の通信装置。
【請求項６】
前記固定長部が含むデータは、直交周波数分割多重方式で変調されていることを特徴とする請求項２に記載の通信装置。
【請求項７】
前記固定長部が含むデータは直交周波数分割多重方式で変調されており、
前記可変長部は、前記固定長部が含む前記入力周期の一周期分またはｎ周期分もしくはｎ分の一周期分（ｎは正の整数）のデータを直交周波数分割多重方式で変調して得られた有効シンボルまたはガードインターバルに隣接して配置され、
（ｉ）前記可変長部と前記有効シンボル、または（ｉｉ）前記可変長部と前記ガードインターバル、または（ｉｉｉ）前記可変長部と前記ガードインターバルと前記有効シンボルからなる信号の前記有効シンボルと等しい長さの区間において、前記入力周期の一周期分またはｎ周期分もしくはｎ分の一周期分のデータを分割した副搬送波間の直交性が保持される信号であることを特徴とする請求項２に記載の通信装置。
【請求項８】
前記複数の入力周期で入力されるデータはストリーミングデータであり、
前記入力周期は、前記ストリーミングデータのサンプリング周期またはそのｍ倍もしくはｍ分の一（ｍは正の整数）と等しいことを特徴とする請求項２に記載の通信装置。
【請求項９】
送信装置と受信装置とを備える通信システムにおける制御方法であって、
前記送信装置は、
複数の入力周期で入力されるデータを受信する第１の受信ステップと、
前記受信ステップにおいて受信したデータから、各々が、前記入力周期に応じて長さが変化する可変長部と、前記入力周期の一周期分またはｎ周期分もしくはｎ分の一周期分（ｎは正の整数）のデータを含む固定長部とからなり、各々前記入力周期の一周期またはｎ周期もしくはｎ分の一周期と等しい周期を有する連続するフレームを生成する生成ステップと、
前記生成ステップにおいて生成された前記連続するフレームを送信する送信ステップと、を有し、
前記受信装置は、
前記送信ステップにおいて送信された前記連続するフレームを受信する第２の受信ステップと、
前記第２の受信ステップにおいて受信したフレームの周期を検出する検出ステップと、前記検出ステップにおいて検出されたフレームの周期に基づいて、前記複数の入力周期で入力されるデータを再生させる再生ステップと、
を有することを特徴とする制御方法。
【請求項１０】
通信装置の制御方法であって、
複数の入力周期で入力されるデータを受信する受信ステップと、
前記受信ステップにおいて受信されたデータから、各々が、前記入力周期に応じて長さが変化する可変長部と、前記入力周期の一周期分またはｎ周期分もしくはｎ分の一周期分（ｎは正の整数）のデータを含む固定長部とからなり、各々前記入力周期の一周期またはｎ周期もしくはｎ分の一周期と等しい周期を有する連続するフレームを生成する生成ステップと、
前記生成ステップにおいて生成された前記連続するフレームを送信する送信ステップと、
を有することを特徴とする制御方法。
【手続補正２】
【補正対象書類名】明細書
【補正対象項目名】０２０７
【補正方法】変更
【補正の内容】
【０２０７】
本実施形態では、ＷＳ信号の周期はオーディオデータのサンプリング周期と等しいものとして説明したが、ＷＳ信号の周期はオーディオデータのサンプリング周期のｎ倍またはｎ分の一（ｎは正の整数）であってもよい。この場合、ネットワークアダプタ１７２０〜１７３５の出力部２００４は、プレーヤ１７００の音響デコーダ１６００の出力形式に応じた音響信号の出力処理を行う。例えば、ＷＳ信号の周期がオーディオデータのサンプリング周期のｎ倍である場合は当該ＷＳ信号をｎ逓倍したものに同期させて音響信号を出力する。一方、ＷＳ信号の周期がオーディオデータのサンプリング周期の１／ｎ倍である場合はＷＳ信号ｎ周期分に同期させて音響信号を出力する。
【手続補正３】
【補正対象書類名】明細書
【補正対象項目名】０２２５
【補正方法】変更
【補正の内容】
【０２２５】
また、タイミング信号生成部２２０６はＷＳＲ信号の立ち上がりから所定時間（Δｄ）経過した後に立ち下がり、所定のバースト信号長時間（Ｔｂ）経過した後に立ち上がるＯＥ信号を生成し、Ｄ／Ａ変換部２２０３と切換部２２０５に出力する。ここで、ΔｄはマルチＣＨ音響デコーダ２２００があるＷＳ信号周期で出力したオーディオデータを当該ＷＳ信号に対応するＷＳＲ信号の周期でＴＸ信号として出力できるように決定する。したがって、Δｄは少なくともオーディオデータがマルチＣＨ音響デコーダ２２００から出力を開始されてからＤ／Ａ変換部２２０３に入力されるまでに要する時間からバースト信号長を減じた長さを有する。
【手続補正４】
【補正対象書類名】明細書
【補正対象項目名】０２５４
【補正方法】変更
【補正の内容】
【０２５４】
本実施形態では、ＷＳ信号の周期はオーディオデータのサンプリング周期と等しいものとして説明したが、ＷＳ信号の周期はオーディオデータのサンプリング周期のｎ倍またはｎ分の一（ｎは正の整数）であってもよい。この場合、ネットワークアダプタ１７２０〜１７３５の出力部２５０４はプレーヤ１７００の音響デコーダ２２００の出力形式に応じた音響信号の出力処理を行う。例えば、ＷＳ信号の周期がオーディオデータのサンプリング周期のｎ倍である場合は当該ＷＳ信号をｎ逓倍したものに同期させて音響信号を出力する。一方、ＷＳ信号の周期がオーディオデータのサンプリング周期の１／ｎ倍である場合はＷＳ信号ｎ周期分に同期させて音響信号を出力する。